(57)【要約】      （修正有）【課題】照明器具本体をアダプタ−本体に取り付けると同時に正常な状態で係止された場合、電源コネクタは接続可能となり、接続後はスライド部材の動きが規制されるとともにスライド部材と解除突片が連動されているため、完全な取付状態を使用者に確認を促す天井直付け照明器具取付装置を提供する。【解決手段】天井に装着可能なアダプター本体１に照明器具本体と着脱自在に係合する一対の係止部材７を出没自在に、且つ、突出方向に付勢して設けると共に前記係止部材７の解除突片９とスライド部材１０をテーパー形状で介して連動させ、かつ、スライド部材１０はプリング１１により常に前記解除突片９のテーパー部に摺動可能に当接される。【選択図】図５
2010165650.tif 000002
【特許請求の範囲】
【請求項１】
天井に装着可能なアダプター本体に、照明器具本体と着脱自在に係合する一対の係止部材を出没自在に、且つ、突出方向に付勢して設けると共に、前記係止部材の解除突片をテ−パ−形状とし、前記解除突片のテ−パ−形状にスプリングにより常に前記解除突片のテ−パ−部にスライド可能に当接されるスライド部材を設け、前記係止部材と前記スライド部材とを連動させることでアダプタ−本体下面に設けてある接続コネクタ−は前記係止部材がアダプタ−本体側面より没入している時は前記スライド部材の内部に隠れ、前記係止部材がアダプタ−本体側面より突出している時、電源接続コネクタ−は自動に露出し照明器具本体側からの電源コネクタ−を接続可能にする。
照明器具本体側からの電源コネクタ−を接続することでスライド部材が電源コネクタ−の端部に当接し移動が規制され係止爪の没入をロックすることを特徴とする天井直付け照明器具取付装置。
【請求項２】
当核アダプタ−本体に設けてある一対の係止爪の係止部先端から下面方向に直線形状部を設けることで片方の係止爪だけに照明器具本体が掛かり一方の係止爪に掛からない状態において係止爪の直線形状部は照明器具本体の取付穴側面に中心方向へ押されることで係止部材と一体の解除突片と連動されたスライド部材は電源コネクタ−を前記スライド部材の内部に隠す為、電源コネクタ−の接続を不可能にすることを特徴とする請求項１記載の天井直付け照明器具取付装置。
【請求項３】
当核アダプタ−本体に設けてある係止部材の下面方向に直線形状を設けることで前記係止部材の直線形状部が照明器具本体の取付穴の側面に当接することで照明器具本体の落下を防ぐ請求項１記載の天井直付け照明器具取付装置。
【発明の詳細な説明】
【技術分野】
【０００１】本発明は、天井面に装着されたシーリングローゼットに着脱自在に取付けられて、照明器具本体を支持する天井直付け照明器具取付装置に関する。
【背景技術】
【０００２】天井に装着されたシーリングローゼットに着脱可能に取付けられるアダプタを有し、照明器具本体と着脱自在に係合する係止爪を、アダプタ本体の両側面に出没自在に、且つ、突出方向に付勢してそれぞれ設け、アダプタ本体の下面に、付勢力に抗して係止爪を没入した状態に移動させる一対の解除突片を設け、その解除突片に係合、離脱して係止爪の没入を規制するロック位置とロック解除位置との間をスライドさせるロック操作を設けた天井直付け照明器具の取付装置を特開平２００２−１４０９２２号公報として提案している。しかし、このロック操作は使用者が照明器具本体を取付後、手動による二次的操作の構造であり、ロック状態への操作忘れの懸念があった。
【発明の開示】
【発明が解決しようとする課題】
【０００３】上述の照明器具本体を取り付けた後に係止部材の動きを規制するロック部材をロックする手段は使用者が二次的操作により行うものであった。【０００４】本発明の目的は照明器具本体をアダプタ−本体に取り付けると同時に正常な状態で係止された場合電源コネクタ−は接続可能となり、接続後はスライド部材の動きが規制されるとともにスライド部材と解除突片が連動されている為、完全な取付状態を使用者に確認を促す天井直付け照明器具取付装置を提供する。
【発明が解決しようとする手段】
【０００５】本発明は、一対の係止爪と一体の解除突片を移動することによって、係止部材をアダプタ本体に没入させるものに適用できると共に、解除突片部をスライド部材のテ−パ−部に当接する同角のテ−パ−部を設け、前記解除突片部とスプリングを有したスライド部材は付勢されながら常に中心方向連動される。
また、アダプタ−本体下面に設けてある電源コネクタ−は係止部材がアダプタ−本体側面より没入状態の時、前記電源コネクタ−は前記スライド部材の内部に隠れて電源コネクタ−同士の接続を不可能とし、また、係止部材がアダプタ−本体より突出している時、前記電源コネクタ−はスライド部材の外郭から露出して照明器具本体側からの電源コネクタ−と接続可能になる。
いわゆる、正常に取り付けられた照明器具本体においてロック操作を二次的操作を行わずに照明器具本体からの電源コネクタ−をアダプタ−本体に設けてある電源コネクタ−に接続することでスライド部材の端面と接続コネクタ−の端面が当接して移動が規制され係止爪がアダプタ−本体より没入不可能にロックすることを可能したことを特徴とする。
【０００６】上述の構成に加え、アダプタ本体に設けてある一対の係止部材の先端から下面方向に直線形状部を設けることで片方の係止部材だけに照明器具本体が掛かり、一方の係止部材に係止されない状態において係止部材の直線形状部は照明器具本体の取付穴側面に中心方向へ押されスライド部材は電源コネクタ−を内部に隠す方向へ移動して電源コネクタ同士の接続を不可能にする。
【発明の効果】
【０００７】請求項１の発明によれば、係止部材と一体の解除突片とスライド部材をスプリングにより付勢させながら連動させることで、照明器具本体と係止部材が中途掛かり状態の時、スライド部材はアダプタ−本体に設けてある電源コネクタ−を内部に隠す状態になる為、電源コネクタ−同士の接続を不可能にする。
また、正常な照明器具本体の取付状態においてはスライド部材はスプリングに付勢されているため、中心方向へ自動的に移動し電源コネクタ−は露出され照明器具本体側の電源コネクタ−と接続可能となる。
また、照明器具本体側からの電源コネクタ−を接続することでスライド部材の移動は接続コネクタ−の端面に当接することで規制され係止爪の没入を規制する。
よって、照明器具本体が正常に取付られた状態においては電源コネクタ−は接続可能に露出され、不完全な取付状態においては電源コネクタ−はスライドバ−の内部に隠れて照明器具本体側からの電源コネクタ−は接続不可能にすることで使用者に確認を促す効果がある。
【０００８】請求項２の発明よれば、照明器具本体がアダプタ−本体の係止部材の一方だけに掛かり、他方には掛かっていない状態においては係止部材先端部に設けてある直線形状部が照明器具本体の取付穴側面に中心方向へ押され解除突片部と連動したスライド部材はアダプタ−本体に設けてある電源コネクタ−を内部に隠す方向へ移動する為、電源コネクタ−同士の接続は不可能となり使用者に注意及び確認を促す効果がある。
【０００９】請求項３の発明によれば、係止部材に設けてある直線形状部が照明器具本体の取付穴の側面に当接し照明器具本体の落下を防止をするという効果を有する。
【発明を実施するための最良の形態】
【００１０】以下、本発明の実施の形態を図面を参照して説明する。
図１は、シーリング本体３の下方向から見た斜視図である。アダプタ本体１に設けてある栓刃６を挿入嵌合される栓刃挿入口４を備えている。【００１１】図２は、当核照明器具取付装置の使用状態を示す側面図である。
当核照明器具取付装置は天井２に設置されたシーリング本体３に対して着脱自在に取り付けられるアダプタ本体１を有する。シーリング本体３の下面には、弧状の栓刃挿入口４が一体形成され、アダプタ本体１の上面には栓刃挿入口４に抜押自在に挿入されて、係合される一対の栓刃６が設けられている。【００１２】アダプタ本体１は、照明器具本体５を支持する一対の係止部材７が径方向に沿って摺動可能に収納される。また、アダプタ本体１の側面には、中心方向に移動可能なロック釦１２が設けられ、このロック釦を押すことで、栓刃挿入口４に対する栓刃６の回動が可能となりアダプタ本体１をシーリング本体３から取り外すことが可能となる。【００１３】図３及び図４は、当核照明器具取付装置における係止部材７が正常な位置にある下面図及び斜視図である。係止部材７と一体の解除突片９はスライド部材１０とテ−パ−を成す角度で摺動可能に連動され、且つ、スライド部材１０はスプリング１１により中心方向へ常に付勢されている。
係止部材７が正常な位置の場合、スライド部材１０は中心方向に付勢されてアダプタ−本体１の下面に設けられている電源コネクタ−（ａ）１３は接続可能に露出される。【００１４】図５及び図６は、当核照明器具取付装置における係止部材７が正常な位置にあり、照明器具本体５からの電源コネクタ−（ｂ）１４をアダプタ−本体下面に設けて電源コネクタ−（ａ）１３を接続した斜面図である。
図６に示す係止部材７が正常な位置にある時、アダプタ−本体１の下面に設けてある電源コネクタ−（ａ）１３は露出された状態にあり照明器具本体側からの電源コネクタ−（ｂ）１４を接続可能とする。【００１５】図７及び図８は、アダプタ本体１の係止部材７が中途嵌合の位置にある平面図及び斜面図である。
照明器具本体１が中途嵌合に取り付けられた状態において係止部材７はアダプタ−本体１の側面より完全に突出されない状態にある。その時、係止部材７と一体の解除突片９は中心方向に移動されると共にスライド部材１０はテ−パ−部を介して電源コネクタ−１３を内部に隠す方向へ移動する。
また、この動作は一方の係止部材７が正常な位置において他方が中途嵌合の場合においても同様の効果を有する。【００１６】図９はアダプタ本体１の係止部材７が中途嵌合の位置にあり電源コネクタ−（ａ）１３がスライド部材１０の内部に隠れた状態の斜視図である。
照明器具本体５が係止部材７に中途嵌合された場合、係止部材７と一体の解除突片９はテ−パ−部を介してスライド部材１０を移動させ電源コネクタ−（ａ）１３を前記スライド部材１０の内部に隠し照明器具本体５からの電源コネクタ−（ｂ）１４を接続不可能な状態にする。【００１７】図１０及び図１０は照明器具本体５の取付穴にアダプタ−本体１の係止部材７の一方のみに掛かり片方の係止部材７に掛からない状態の側面図及び斜面図である。
この時、掛かっていない側の照明器具本体５の取付穴側面は係止部材７の直線形状部８を中心方向へ押すと共に解除突片９はスライド部材１０と連動されて電源コネクタ−（ａ）１３を内部に隠す方向へ移動し照明器具本体側からの電源コネクタ−（ｂ）１４を接続不可能にする。
また、係止部材７に設けてある直線形状部８が照明器具本体５の取付穴の側面に当接し照明器具本体５の落下を防止する効果を有する。【００１８】以上により、係止部材７と一体の解除突片９とスライド部材１０はテ−パ−部を介して連動させることで正常な取付状態ではスライド部材１０が電源コネクタ−（ａ）１３を露出させ接続可能にし、不完全な取付状態においては電源コネクタ−（ａ）１３は自動的にスライド部材１０の内部に隠れて電源コネクタ−（ａ）１３の接続を不可能にする。
また、照明器具本体５の片側掛かりの状態においては係止部材７の直線形状部８を設けることで前記係止部材７を照明器具本体５の取付穴の側面に押されてスライド部材１０の内部に隠れ電源コネクタ−同士の接続を不可能にする。
更に係止部材７に設けてある直線形状部８が照明器具本体５の取付穴の側面に当接し照明器具本体５の落下を防止するという安全対策を施した照明器具取付装置である。
【図面の簡単な説明】
【００１９】
【図１】  シーリング本体の斜視図
【図２】  本発明における照明器具取付装置の使用状態を示す側面図。
【図３】  本発明における照明器具取付装置の下面図。
【図４】  本発明における照明器具取付装置の斜視図。
【図５】  照明器具取付装置が正常に嵌合装着された状態の斜視図。
【図６】  正常に嵌合装着された状態において電源コネクタ−が接続された状態の斜視図。
【図７】  照明器具本体が中途係止に装着された状態の下面図。
【図８】  照明器具本体が中途係止に装着された状態の斜視図。
【図９】  照明器具本体が中途係止に装着された状態において電源コネクタ−が接続不可能な状態の斜視図。
【図１０】  照明器具本体が片掛かりの状態における側面図。
【図１１】  照明器具本体が片掛かりの状態において電源コネクタ−が接続不可能な状態の斜視図。
【符号の説明】
【００２０】  １  アダプタ本体
２  天井
３  シーリング本体
４  栓刃挿入口
５  照明器具本体
６  栓刃
７  係止部材
８  係止爪の直線形状部
９  解除突片部
１０  スライド部材
１１  スプリング
１２  ロック釦
１３  電源コネクタ−（ａ）
１４  電源コネクタ−（ｂ）
【図１】
2010165650.tif 000003
【図２】
2010165650.tif 000004
【図３】
2010165650.tif 000005
【図４】
2010165650.tif 000006
【図５】
2010165650.tif 000007
【図６】
2010165650.tif 000008
【図７】
2010165650.tif 000009
【図８】
2010165650.tif 000010
【図９】
2010165650.tif 000011
【図１０】
2010165650.tif 000012
【図１１】
2010165650.tif 000013